(57)【要約】      （修正有）【課題】  平板ディスプレイガラス移送の時、ガラスの重さ・自体荷重によるたるみを防止し、水平を維持できるようにする。【解決手段】左右張力によって外部から伝わる振動を吸収できる吸収力を極大化するために左右を引っ張っておいた固定シャフトと、固定シャフトを包むように形成し、ガラスを移送できるように回転する回転パイプと、回転パイプを包むように形成し、回転パイプと一緒に回転することでガラスを移送する多数のローラーと、回転パイプと固定シャフトに間に形成し、固定シャフトに回転する回転パイプの摩擦力を減らすボールベアリングが流動することを防ぐために回転パイプの外周面に一定の圧力をかけ、回転パイプに内週面を突出させ、回転パイプの内週面に位置する回転パイプの一方に回転パイプを回転させるために駆動モーターによって駆動される２つのマグネチックとで構成される。【選択図】  図１
2008137808.tif 000002
【特許請求の範囲】
【請求項１】
平板ディスプレイ用ガラスを移送するための移送装置において 
前記ガラス移送の時、ガラスの重さ・自体荷重によるたるみを防止し、水平を維持しながら左右張力により、外部から加わる振動を吸収できる吸収力を極大化するため、左右を引っ張っておいた直径１ｍｍないし１５ｍｍの固定シャフト；
前記固定シャフトを包むように形成し、前記ガラスを移送するように回転する直径１０ｍｍないし３５ｍｍの回転パイプ；
前記回転パイプを包むように形成し、前記回転パイプと一緒に回転することでガラスを移送する多数のローラー；
前記回転パイプと固定シャフトの間に形成され、前記固定シャフトに回転する回転パイプの摩擦力を減らす多数のボールベアリング；
前記回転パイプと固定シャフトの間に形成された多数のボールベアリングが流動することを防止するために、前記回転パイプの外周面に一定の圧力をかけ、前記回転パイプの内周面を突出させ、前記回転パイプの内周面に位置したボールベアリングを流動させないように固定するベアリング固定用コーキング部；
前記回転パイプの一方に前記回転パイプを回転させるために、駆動モーターによって駆動される２つのマグネチックで形成された駆動部；で構成されることがその特徴である平板ディスプレイ用ガラス移送装置。
【請求項２】
請求項１において、
前記固定シャフトは、一方と他方に左右を引っ張ることによって伸びた固定シャフトを補強するための補強シャフトと、前記左右が引っ張られることによって伸びた長さを維持するために左右両側の支持台に固定する引張ナットを形成することがその特徴である平板ディスプレイ用ガラス移送装置。
【請求項３】
請求項１において、
前記ベアリング固定用コーキング部は、前記固定シャフトと回転シャフトの間で、ボールベアリングが流動するのを防止するために前記ボールベアリングとボールベアリングの間にベアリング固定カラーを形成して使用できることがその特徴である平板ディスプレイ用ガラス移送装置。
【請求項４】
請求項１において、
前記ベアリング固定用コーキング部は、前記固定シャフトの外径と回転するパイプの内径の差が大きすぎる場合、前記ボールベアリングが流動するのを防止するために前記回転パイプとボールベアリングの間にボールベアリング・ホルダー部を形成して使用できることがその特徴である平板ディスプレイ用ガラス移送装置。
【発明の詳細な説明】
【技術分野】
【０００１】
本発明は、平板ディスプレイ用ガラスを移送するための移送装置に関する物で、より詳細にはガラス移送の時ガラスの重さ・自体荷重によるたるみを防止し、水平を維持し、左右張力による外部振動吸収力を極大化するために、左右を引っ張っておいた直径１ｍｍないし１５ｍｍの固定シャフトを形成し、前記固定シャフトの外周面を包むように回転ができる直径１０ｍｍないし３５ｍｍに回転パイプを形成し、前記固定シャフトと回転パイプの間で摩擦力を減らすボールベアリングを形成し、前記回転パイプの用側に２つのマグネチックの使用で、ガラス移送の時にパ―ティクルが発生せず、予め左右を引っ張っておいた固定シャフトにより、シャフトのたるみを防止し、ガラス移送の時に水平を維持できる平板ディスプレイ用ガラス移送装置に関するものである。
【背景技術】
【０００２】
一般的に平板ディスプレイ(flat panel display, FPD)は、最近壁掛け式テレビやマルチメディア用ディスプレイとして利用できるような実用化が進められている。前記平板ディスプレイにガラス製造工程で各々の高低でガラスをいそうさせる装置では、移送ローラーによる移送装置が主を成していて、前記移送ローラーによる移送装置は、大型化傾向にある平板ディスプレイ用ガラスを安全に移送する装置として適していた。
【０００３】
しかし、従来の前記のような平板ディスプレイ用ガラスの移送装置は、平板ディスプレイ用ガラスの大型化により、前記ガラスの自重の増加により、前記移送ローラーのローラーシャフトがたるむようになり、移送過程でガラスが壊れたり不良率が上がる問題点があり、これを解決するために前記ローラーシャフトの直径を大きくしたり、前記ローラーシャフトの内部に充填物質を挿入し、前記ローラーシャフトの強度を高めることで、前記ガラスの荷重によるローラーシャフトにたるみを防止してきた。しかし、前記のように、ローラーシャフトの直径を大きくしたり、内部に充填物質を挿入したローラーシャフトは、これによる製造費用が増加し、効率的ではないという短所があった。
【０００４】
尚、従来のローラーシャフトのたるみを防止するため、ローラーシャフトの直径を薄くし、前記ローラーシャフトの両側にマグネチックにより引っ張ることで、前記ローラーシャフトのたるみを防止したが、前記ローラーシャフトが回転しながらマグネチックによる引っ張る力を受け、摩擦力が高くなり、駆動回転数が大きい場合、急稼動・急停止の時に、前記ローラーシャフトの駆動側と前記駆動側の駆動を受ける反対側の回転が一致せず、前記ガラスの移送の時、水平が維持できない問題点が発生した。
【発明の開示】
【発明が解決しようとする課題】
【０００５】
本発明は、前記のような問題点を解決するために案出された物で、ガラスの荷重によるシャフトのたるみを防止するために、予めシャフトの左右を引っ張って固定する固定シャフトを形成し、前記固定シャフトに外周面を包むようにして、マグネチックで形成された駆動部によって回転する回転パイプを形成し、前記固定シャフトと回転パイプに間にボールベアリングを形成し、前記固定された固定シャフトと回転する回転パイプで発生する摩擦力を最小化でき、前記ガラスのたるみを防止するのみならず、前記固定シャフトに対する回転パイプの回転に対する摩擦力を最小化し、ガラス移送の時、ガラスの水平を維持できる平板ディスプレイ用ガラス移送装置を提供することがその目的である。 
【課題を解決するための手段】
【０００６】
本発明は、平板ディスプレイ用ガラスを移送するための移送装置において 
前記ガラス移送の時、ガラスの重さ・自体荷重によるたるみを防止し、水平を維持しながら左右張力により、外部から加わる振動を吸収できる吸収力を極大化するため、左右を引っ張っておいた直径１ｍｍないし１５ｍｍの固定シャフト；
【０００７】
前記固定シャフトを包むように形成し、前記ガラスを移送するように回転する直径１０ｍｍないし３５ｍｍの回転パイプ；
【０００８】
前記回転パイプを包むように形成し、前記回転パイプと一緒に回転することでガラスを移送する多数のローラー；
【０００９】
前記回転パイプと固定シャフトの間に形成され、前記固定シャフトに回転する回転パイプの摩擦力を減らす多数のボールベアリング；
【００１０】
前記回転パイプと固定シャフトの間に形成された多数のボールベアリングが流動することを防止するために、前記回転パイプの外周面に一定の圧力をかけ、前記回転パイプの内周面を突出させ、前記回転パイプの内周面に位置したボールベアリングを流動させないように固定するベアリング固定用コーキング部；
【００１１】
前記回転パイプの一方に前記回転パイプを回転させるために、駆動モーターによって駆動される２つのマグネチックで形成された駆動部；で構成されることがその特徴である。
【００１２】
尚、前記固定シャフトは、一方と他方に左右を引っ張ることによって伸びた固定シャフトを補強するための補強シャフトと、前記左右が引っ張られることによって伸びた長さを維持するために左右両側の支持台に固定する引張ナットを形成することがその特徴である。
【００１３】
前記ベアリング固定用コーキング部は、前記固定シャフトと回転シャフトの間で、ボールベアリングが流動されるのを防止するために前記ボールベアリングとボールベアリングの間にカラーを形成して使用することがその特徴である。
【００１４】
尚、前記ベアリング固定用コーキング部は、前記固定シャフトの外径と回転するパイプの内径の差が大きい場合、前記ボールベアリングが流動されるのを防止するために前記回転パイプとボールベアリングの間にボールベアリング・ホルダー部を形成して使用することがその特徴である。
以下、本発明を具体的に説明するために添付された図面を参考にしながら詳しく説明する。
【００１５】
図１は、本発明による平板ディスプレイ用ガラス移送装置の断面図である。
前記図１で図示されたように、本発明は予め左右に引っ張っておいた直径１ｍｍないし１５ｍｍの固定シャフト(１０)を両側の支持台(５０)に引張ナット(１１)で固定し、前記固定シャフト(１０)を包んで、回転させる直径１０ｍｍないし３５ｍｍの回転パイプ(２０)を形成する。前記固定シャフト(１０)と回転パイプ(２０)の間にはボールベアリング(３０)を形成し、前記固定された固定シャフト(１０)に回転パイプ(２０)が回転の時に、摩擦力を最小化させる。 
【００１６】
前記固定シャフト(１０)は、左右を予め引っ張っておき、固定してガラスの移送の時に前記ガラスの自体荷重によるたるみを防止でき、左右張力により外部から加わる振動を吸収できる吸収力を極大化でき、前記固定シャフト(１０)と回転シャフト(２０)の間にボールベアリング(３０)によって、回転パイプ(２０)が回転の時に、固定シャフト(１０)との摩擦力を最小化させ、前記ガラス移送の時、駆動回転数が大きかったり、急停止・急稼動の時に前記回転パイプ(２０)の駆動側と前記駆動側の駆動を受けた回転パイプ(２０)の反対側の回転が同時に行われ、前記ガラスの水平を維持しながら移送できる。 
【００１７】
尚、前記回転パイプ(２０)は、前記回転パイプ(２０)の外周面に一定の圧力をかけ、前記回転パイプ(２０)の内周面を突出させ、前記回転パイプ(２０)と固定シャフト(１０)の間に形成された多数のボールベアリング(３０)が流動を防止しないように固定するベアリング固定用コーキング部(３１)を形成し、前記回転パイプ(２０)の外周面には、多数のローラー(ミドシ)が形成され、回転パイプ(２０)の回転により、一体型の回転し、上部にガラスを位置させて前記ガラスを移送する。 
【００１８】
前記回転パイプ(２０)の一方には、２つのマグネチック(４１、４２)をすれ違いに形成した駆動部(４０)を形成し、駆動モーターにより、下部のマグネチック(４２)が回転を始めると、すれ違いに形成された上部のマグへチック(４１)が相互間の磁力を利用し回転することになる。この時、前記下部のマグネチック(４２)と上部のマグネチック(４１)は、約１ｍｍほどの間隔をおいて形成され、前記ガラスの移送の時、駆動部(４０)によるパーティクルが発生しない。 
【００１９】
図２はと図３は、本発明による平板ディスプレイ用ガラス移送装置のボールベアリング固定のための実施例を表わせた図面である。 
【００２０】
前記図３に図示されたように、本発明は、ボールベアリングコーキング部(３１)の代わりに前記ボールベアリング(３０)が流動を防止し、前記ボールベアリング(３０)を固定するために前記ボールベアリング(３０)とボールベアリング(３０)の間を支えられるようにすき間のないようにするベアリング固定カラー(３２)を形成し、前記回転パイプ(２０)が回転する時、前記ボールベアリング(３０)の流動を防止し、固定できる。 
【００２１】
尚、図４で図示されたように、回転パイプ(２０)の内径がボールベアリング(３０)の外径より大きくなりすぎると前記ボールベアリング(３０)の外周面にベアリング・ホルダー部(３３)を形成し、前記ボールベアリング(３０)が固定シャフト(１０)と回転パイプ(２０)の間に流動しないように固定させる。 
【００２２】
尚、前記回転パイプ(２０)の内径よりボールベアリング(３０)の外径が０.０５ｍｍないし０.１ｍｍほど大きい場合、無理やりにはめることにより、前記ボールベアリング(３０)を回転パイプ(２０)と固定シャフト(１０)の間に形成されることになり、前記ボールベアリング(３０)の流動を防止する。 
【００２３】
上述したとおり、本発明による望ましい実施例を説明してきたが、本発明は前記の実施例にとどまらず、以下の特許請求範囲で請求する本発明の要旨を外すことなく、当該発明が属する分野で通常の知識を持つ者なら誰でも多様な変更実施が可能な範囲まで本発明の技術的精神があるといえる。
【発明の効果】
【００２４】
本発明は、平板ディスプレイ用ガラスを移送するため、予め左右を引っ張って、支持台に固定する固定シャフトを形成し、前記ガラスの荷重によるシャフトのたるみが防止でき、前記固定シャフトを予め引っ張っておくことで、前記固定シャフトの直径が小さいので製造単価の節減ができ、前記固定シャフトの外周面に回転パイプを形成し、前記固定シャフトと回転パイプの間にボールベアリングを形成し、前記固定シャフトに回転する回転パイプの摩擦力を最小限化することで、前記ガラス移送の時に前記ガラスの水平を維持できる効果がある。
【００２５】
尚、本発明は、ガラスの移送の時、駆動もーたーにより、駆動する２つのマグネチックにより、前記ガラスに発生するパーティクルを最小限に抑えられる効果がある。
【図面の簡単な説明】
【００２６】
【図１】本発明による平板ディスプレイ用ガラス移送装置の断面図。
【図２】本発明による平板ディスプレイ用ガラス移送装置のボールベアリング固定のための実施例を表わせた図面。
【図３】本発明による平板ディスプレイ用ガラス移送装置のボールベアリング固定のための実施例を表わせた図面。
【符号の説明】
【００２７】
１０ : 固定シャフト          １１：引張ナット
１２ : 補強シャフト          ２０：回転シャフト
３０ : ボールベアリング      ３１：ベアリング固定用コーキング部
３２ : ベアリング固定カラー  ３３：ベアリングホルダー部
４０ : 駆動部                ４１：上部マグネチック
４２ : 下部松部チック        ５０：支持台
【図１】
2008137808.tif 000003
【図２】
2008137808.tif 000004
【図３】
2008137808.tif 000005